(57)【要約】【課題】印刷物等において凹凸のある立体被写体をよりリアルに再現できる画像処理方法等を提供する。【解決手段】画像処理装置１０は、表面の凹凸による陰影を生じた立体被写体の画像を取得可能な立体スキャナ２０により立体被写体の画像を取得し、取得した画像に対して画像処理を行う。画像処理装置１０は、立体スキャナ２０に対して、所定の露出量で取得したときよりも第１所定量小さい明るさの画像が取得される露出量で立体被写体の画像を取得するよう指示する指示手段（ＣＰＵ１４）と、取得した画像の明るさを、第１所定量よりも小さい第２所定量上昇させる第１明るさ上昇手段（ＣＰＵ１４）と、第１明るさ上昇手段で明るさを上昇させた画像に対して、当該画像の明るさの中央値側の明るさが所定の露出時における明るさとほぼ等しくなるように、中央値側ほど大きな上昇量で画像の明るさを上昇させる第２明るさ上昇手段（ＣＰＵ１４）と、を含む。【選択図】図１
2014011505.tif 000002
【特許請求の範囲】
【請求項１】
表面の凹凸による陰影を生じた立体被写体の画像を取得可能な立体スキャナにより立体被写体の画像を取得し、取得した画像に対して画像処理を行う画像処理装置であって、
前記立体スキャナに対して、所定の露出量で取得したときよりも第１所定量小さい明るさの画像が取得される露出量で前記立体被写体の画像を取得するよう指示する指示手段と、
取得した画像に対して画像処理を行う画像処理手段とを備え、
前記画像処理手段は、
取得した画像の明るさを、前記第１所定量よりも小さい第２所定量上昇させる第１明るさ上昇手段と、
前記第１明るさ上昇手段で明るさを上昇させた画像に対して、当該画像の明るさの中央値側の明るさが前記所定の露出時における明るさとほぼ等しくなるように、前記中央値側ほど大きな上昇量で画像の明るさを上昇させる第２明るさ上昇手段と、を含む、
画像処理装置。
【請求項２】
前記画像処理手段は、
前記第２明るさ上昇手段で明るさを上昇させた画像に対して、画像中の被写体の色が、所定の標準光により被写体に生じる色に近づくように補正する色補正手段をさらに含む、
請求項１に記載の画像処理装置。
【請求項３】
前記画像処理手段は、
画像に含まれる被写体の輪郭を強調する輪郭強調手段をさらに含む、
請求項１または請求項２に記載の画像処理装置。
【請求項４】
前記画像処理手段は、
ＲＧＢ形式の画像データをＣＭＹＫ形式の画像データに変換する画像形式変換手段と、
前記画像形式変換手段で変換されたＣ色及びＫ色の明度を第３所定量及び第４所定量低下させる明度低下手段とを、さらに含む、
請求項１から請求項３のいずれか１項に記載の画像処理装置。
【請求項５】
前記請求項１から請求項４のいずれか１項に記載の画像処理装置と、
前記画像処理装置で画像処理された画像を印刷する印刷装置とを含む、
印刷物製造装置。
【請求項６】
表面の凹凸による陰影を生じた立体被写体の画像を取得可能な立体スキャナにより立体被写体の画像を取得し、取得した画像に対して演算手段により画像処理を行う画像処理方法であって、
前記演算手段が、
前記立体スキャナに対して、所定の露出量で取得したときよりも第１所定量小さい明るさの画像が取得される露出量で前記立体被写体の画像を取得するよう指示する指示ステップと、
取得した画像に対して画像処理を行う画像処理ステップと、を含み、
前記画像処理ステップは、
取得した画像の明るさを、第１所定量よりも小さい第２所定量上昇させる第１明るさ上昇ステップと、
前記第１明るさ上昇ステップで明るさを上昇させた画像に対して、当該画像の明るさの中央値側の明るさが前記所定の露出時における明るさとほぼ等しくなるように、前記中央値側ほど大きな上昇量で画像の明るさを上昇させる第２明るさ上昇ステップと、を含む、
画像処理方法。
【請求項７】
前記画像処理ステップは、
前記第１及び第２明るさ上昇ステップで明るさを上昇させた画像に対して、画像中の被写体の色が、所定の標準光により被写体に生じる色に近づくように補正する色補正ステップをさらに含む、
請求項６に記載の画像処理方法。
【請求項８】
前記画像処理ステップは、
画像に含まれる被写体の輪郭を強調する輪郭強調ステップをさらに含む、
請求項６または請求項７に記載の画像処理方法。
【請求項９】
前記画像処理ステップは、
ＲＧＢ形式の画像データをＣＭＹＫ形式の画像データに変換する画像形式変換ステップと、
前記画像形式変換ステップで変換されたＣ色及びＫ色の明度を第３所定量及び第４所定量低下させる明度低下ステップと、をさらに含む、
請求項６から請求項８のいずれか１項に記載の画像処理方法。
【請求項１０】
前記請求項６から請求項９のいずれか１項に記載の画像処理方法に含まれるステップと、
当該画像処理方法によって得られた画像を印刷する印刷ステップとを含む、
印刷物製造方法。
【請求項１１】
前記画像の印刷後、前記画像の層の前記透明フィルムとは反対側の面に金属被膜層を形成するステップをさらに含む、
請求項１０に記載の印刷物製造方法。
【請求項１２】
前記画像の印刷後、前記画像の層の前記透明フィルムとは反対側の面に所定の色のインキを印刷するステップをさらに含む、
請求項１０に記載の印刷物製造方法。
【請求項１３】
前記透明フィルムの他方の面の周縁部分に額縁状の模様を印刷するステップをさらに含む、
請求項１０から請求項１２のいずれか１項に記載の印刷物製造方法。
【請求項１４】
額縁状の模様を印刷するステップの実行後、当該額縁状の模様に重ねてニスを塗布するステップをさらに含む、
請求項１３に記載の印刷物製造方法。
【請求項１５】
コンピュータを、前記請求項６から請求項９のいずれか１項に記載の画像処理方法を実行する手段として機能させる画像処理プログラム。
【請求項１６】
透明フィルムと、
前記透明フィルムの一方の面に印刷された、前記請求項６から請求項９のいずれか１項に記載の画像処理方法によって得られた画像層と、
前記画像層の前記透明フィルムとは反対側の面に形成された金属被膜層とを有する、
印刷物。
【請求項１７】
透明フィルムと、
前記透明フィルムの一方の面に印刷された、前記請求項６から請求項９のいずれか１項に記載の画像処理方法によって得られた画像層と、
前記画像層の前記透明フィルムとは反対側の面に形成された当該画像の色特性に応じた色のインキの層とを有する、
印刷物。
【請求項１８】
前記透明フィルムの他方の面の周縁部分に印刷された額縁状の模様層をさらに有する、
請求項１６または請求項１７に記載の印刷物。
【請求項１９】
前記模様層の前記透明フィルムとは反対側の面にニスの層をさらに有する、
請求項１８に記載の印刷物。
【請求項２０】
印刷物の製造方法であって、
画像を透明フィルムの一方の面に印刷するステップと、
前記画像の印刷後、前記画像の層の前記透明フィルムとは反対側の面に金属被膜層を形成するステップとを含む、
印刷物製造方法。
【請求項２１】
前記透明フィルムの他方の面の周縁部分に額縁状の模様を印刷するステップをさらに含む、
請求項２０に記載の印刷物製造方法。
【請求項２２】
透明フィルムと、
前記透明フィルムの一方の面に印刷された画像層と、
前記画像層の前記透明フィルムとは反対側の面に形成された金属被膜層とを有する、
印刷物。
【請求項２３】
前記透明フィルムの他方の面の周縁部分に印刷された額縁状の模様層をさらに有する、
請求項２２に記載の印刷物。
【発明の詳細な説明】
【技術分野】
【０００１】
本発明は、立体被写体をスキャニングした画像に対して画像処理を行う画像処理装置、画像処理方法、及び画像処理プログラム、当該画像処理により生成された画像の印刷物を製造する印刷物製造装置及び印刷物製造方法、並びに当該製造装置または製造方法により製造された印刷物に関する。
【背景技術】
【０００２】
例えば、特許文献１には、立体被写体の光源からの光によりその立体被写体の有する凹凸による陰影を生じさせた画像を取得可能な立体スキャナが開示されている。
【先行技術文献】
【特許文献】
【０００３】
【特許文献１】特開２００９−１８２９９５号公報
【発明の概要】
【発明が解決しようとする課題】
【０００４】
上記のような立体スキャナを用いて画像を取得した場合でも、視認したときに十分な立体感が得られない場合がある。
【０００５】
本発明は、印刷物等において凹凸のある立体被写体をよりリアルに再現できる画像処理方法等を提供する。
【課題を解決するための手段】
【０００６】
本願の発明者は、立体スキャナを用いて取得した画像を視認したときに十分な立体感が得られない原因について種々検討し、以下の知見を得た。
【０００７】
人間は、三次元空間を、網膜に投影された二次元の網膜像に基づいて知覚する。具体的に、人間は、三次元空間を知覚する際、様々な手がかりに基づいて、二次元の網膜像では失われている奥行きについての情報を脳内で推測し、補完している。つまり、知覚する対象が二次元の画像であっても、その画像に奥行き知覚のための手がかりが存在していれば、人間は二次元の画像を立体的に知覚する。その奥行き知覚のための手がかりの１つとして「陰影」が挙げられる。この「陰影」を画像上で表現できれば、二次元の画像であっても、人間に立体的に知覚させることができる。
【０００８】
しかし、一般的な二次元スキャナにより立体被写体の画像をスキャニングしても「陰影」を表現できない。また、立体スキャナを利用した場合でも、上述のように十分な立体感が得られないことがある。
【０００９】
スキャナは、被写体を、ＲＧＢの３原色の輝度データを含む画像データとして取得する。画像データは、例えば、ＲＧＢ各色において０〜２５５の２５６段階の輝度値として取得される。被写体の色の彩度や明度が高いものである場合、スキャニングの際、ＲＧＢの３原色のうちの被写体の色等に応じた少なくとも一つの色が、高輝度側において飽和を起こすことがある。例えば、被写体が凹凸を有する赤色の立体被写体であって、光を当てる方向に応じて上記凹凸による陰影がその表面に生じるような立体被写体である場合に、このような被写体を一般的な露出量でスキャニングした場合、当該被写体における赤色の明るい部分のＲの画像データが色飽和を起こすことがある。つまり、画像における当該部分の階調が失われる。そして、この色飽和を起こした部分に陰影が存在していた場合、当該部分に存在していた陰影が画像データとして取得されないことなる。再生した画像において陰影が消失してしまう。したがって、画像において「陰影」を再現できなくなる。
【００１０】
上述のように「陰影」は、画像や印刷物において立体感を表すために非常に重要な要素であり、この「陰影」に関するデータを色飽和により取得できないことが、立体スキャナを用いた場合でも十分な立体感のある画像を得られない場合が生じる原因であると考えられる。したがって、画像や印刷物等において、十分な立体感を得るためには（立体被写体の質感を再現してリアルに見せるためには）被写体の表面にある微細な「陰影」を画像データとして確実に取得する必要がある。
【００１１】
このような知見に鑑み、本発明は以下の構成を採用する。
【００１２】
本発明の画像処理装置は、表面の凹凸による陰影を生じた立体被写体の画像を取得可能な立体スキャナにより立体被写体の画像を取得し、取得した画像に対して画像処理を行う。この画像処理装置は、
立体スキャナに対して、所定の露出量で取得したときよりも第１所定量小さい明るさの画像が取得される露出量で立体被写体の画像を取得するよう指示する指示手段と、
取得した画像に対して画像処理を行う画像処理手段とを備え、
画像処理手段は、
取得した画像の明るさを、第１所定量よりも小さい第２所定量上昇させる第１明るさ上昇手段と、
第１明るさ上昇手段で明るさを上昇させた画像に対して、当該画像の明るさの中央値側の明るさが所定の露出時における明るさとほぼ等しくなるように、中央値側ほど大きな上昇量で画像の明るさを上昇させる第２明るさ上昇手段と、を含む。
【００１３】
本発明の印刷物製造装置は、
本発明の画像処理装置と、
本発明の画像処理装置で画像処理された画像を印刷する印刷装置とを含む。
【００１４】
本発明の画像処理方法は、表面の凹凸による陰影を生じた立体被写体の画像を取得可能な立体スキャナにより立体被写体の画像を取得し、取得した画像に対して演算手段により画像処理を行う。この画像処理方法は、
演算手段が、
立体スキャナに対して、所定の露出量で取得したときよりも第１所定量小さい明るさの画像が取得される露出量で立体被写体の画像を取得するよう指示する指示ステップと、
取得した画像に対して画像処理を行う画像処理ステップと、を含み、
画像処理ステップは、
取得した画像の明るさを、第１所定量よりも小さい第２所定量上昇させる第１明るさ上昇ステップと、
明るさを上昇させた画像に対して、当該画像の明るさの中央値側の明るさが所定の露出時における明るさとほぼ等しくなるように、中央値側ほど大きな上昇量で画像の明るさを上昇させる第２明るさ上昇ステップと、を含む。
【００１５】
本発明の印刷物製造方法は、
本発明の画像処理方法に含まれるステップと、
本発明の画像処理方法によって得られた画像を印刷する印刷ステップとを含む。
【００１６】
本発明の画像処理プログラムは、本発明の画像処理方法を、コンピュータに実行させる。
【００１７】
本発明の印刷物は、
透明フィルムと、
透明フィルムの一方の面に印刷された、本発明の画像処理方法によって得られた画像層と、
画像層の透明フィルムとは反対側の面に形成された金属被膜層とを有する。
【００１８】
本発明の印刷物は、
透明フィルムと、
透明フィルムの一方の面に印刷された、本発明の画像処理方法によって得られた画像層と、
画像層の透明フィルムとは反対側の面に形成された当該画像の色特性に応じた色のインキの層とを有する。
【発明の効果】
【００１９】
本発明では、所定の露出量で取得したときよりも第１所定量小さい明るさの画像が取得される露出量で立体被写体の画像を取得する。第１所定量は、被写体における彩度や明度の高い部分がスキャニングの際に、当該部分に生じた陰影に色飽和等を生じさせないようにするための、所定の露出量に対する露出量の低下量である。これにより、立体被写体における彩度や明度の高い部分に生じた陰影に色飽和等を生じさせることなく立体被写体の画像を取得できる。しかしながら、このようにして取得した画像は、視認したときに全体として暗い印象を与える画像となる。そこで画像の明るさを上昇させる必要がある。しかし、明るさを一律に上昇させると、画像における彩度や明度の高い部分（輝度の高い部分）の陰影が色飽和により失われることとなる。
【００２０】
このため、本発明では、さらに、立体スキャナにより取得した画像の明るさを、第２所定量上昇させる。例えば、ＲＧＢの各色の輝度を同量ずつ一律に上昇させる。第２所定量は、画像の明るさを上昇させた場合でも、色飽和を生じさせない上昇量である。つまり、第２所定量は、画像の明るさを上昇させた場合でも、画像の陰影を消失させない上昇量である。なお、第２所定量は、画像の明るさを上昇させた際、画像における高輝度部分の陰影のうち特に高輝度側の陰影であって色飽和を起こした場合でも画像の立体感にあまり影響を与えない陰影が消失する上昇量であってもよい。
【００２１】
次に、明るさを上昇させた画像に対して、当該画像の明るさの中央値側の明るさが所定の露出時における明るさとほぼ等しくなるように、中央値側ほど大きな上昇量で画像の明るさを上昇させる。これにより、画像の多くの部分を占める中央値側の明るさが、ほぼ所定の露出量の時における明るさとなり、全体として自然な印象を与える画像となる。このとき、高輝度側の明るさはあまり変化しないので、高輝度側の陰影が色飽和により消失するのを極力防止することができる。
【００２２】
このように、本発明によれば、画像の立体感に影響を与えやすい陰影の色飽和による消失を防止しつつ、全体として自然な印象の画像を得ることができる。つまり、良好な立体感を与えつつ全体として自然な印象の画像を得ることができる。したがって、印刷物等において凹凸のある立体被写体をよりリアルに再現できる。
【図面の簡単な説明】
【００２３】
【図１】実施形態１の印刷物製造装置の構成図である。
【図２】印刷物製造のフローチャートである。
【図３】本実施形態の画像処理等の説明図である。
【図４】立体スキャナで取り込んだ画像を示す図である。
【図５】画像処理のフローチャートである。
【図６】明るさを全体的に上昇させる処理を行う前後の画像の一例を示す図である。
【図７】ステップＳ１２の処理の説明図である。
【図８】明るさを中間明るさ部分を中心として上昇させかつ色調整を行う前後の画像の一例を示す図である。
【図９】輪郭強調処理の説明図である。
【図１０】輪郭強調処理の一例を示す図である。
【図１１】実施形態２の印刷物製造方法の説明図である。
【図１２】実施形態３の印刷物製造方法の説明図である。
【図１３】実施形態３の印刷物製造方法のフローチャートである。
【図１４】その他の実施形態の印刷物製造方法の説明図である。
【図１５】その他の実施形態の印刷物製造方法で作製された印刷物と従来の印刷物とを比較した図である。
【発明を実施するための形態】
【００２４】
以下、本実施の形態について説明する。
【００２５】
（実施形態１）
１、印刷物製造装置の構成
図１は、本実施形態の印刷物製造装置の構成図である。本実施形態の印刷物製造装置は、良好な立体感を与える印刷物を製造することができる装置である。
【００２６】
印刷物製造装置１は、画像処理装置１０と印刷装置３０を有する。画像処理装置１０は、立体スキャナ２０に接続されている。
【００２７】
立体スキャナ２０は、立体被写体をスキャニング可能である。立体スキャナ２０は、被写体を、ＲＧＢの３原色の輝度データを含む画像データとして取得する。画像データは、ＲＧＢ各色において例えば０〜２５５の２５６段階の輝度値として取得される。立体スキャナ２０は、光源とラインＣＣＤを有するスキャナヘッドを備える。光源は、例えば所定の間隔を置いて平行に配置された２本の白色蛍光灯で構成される。立体スキャナ２０は、スキャナヘッドの被写体載置面に対する姿勢が変更可能となっている。これにより、ラインＣＣＤの被写体載置面に対する読取角度を変更することができ（マルチアングルスキャナ）、また、光源の被写体に対する照射位置を変更することができる。このような構成により、立体スキャナ２０は、立体被写体の表面に存在する凹凸による陰影を生じさせた画像を取得することができる。さらに、陰影の生じ方を調整することができる。なお、光源を構成する２本の白色蛍光灯のうちのいずれか一方のみを利用してもよい。これにより、陰影をよりはっきりと生じさせることができる。立体スキャナ２０として、例えば、ニューリー株式会社製のスキャメラ（登録商標）を利用可能である。
【００２８】
画像処理装置１０は、立体スキャナ２０から出力される画像に対して、後述する画像処理を施す。画像処理装置１０は、コンピュータにより構成可能である。
【００２９】
印刷装置３０は、画像処理装置１０で処理された画像を印刷する。印刷装置３０として、種々の印刷装置が利用可能である。例えば、インクジェット印刷機やオフセット印刷機等が利用可能である。
【００３０】
２．画像処理装置の構成
画像処理装置１０は、コンピュータ本体１１、ディスプレイ１２及び操作部１３を有する。
【００３１】
ディスプレイ１２は、コンピュータ本体１１から出力される画像を表示する。
【００３２】
操作部１３は、ユーザがコンピュータ本体１１に画像処理の指示等を行うためのデバイスである。操作部１３は、例えばキーボード、マウス、タッチパネル等により構成可能である。
【００３３】
コンピュータ本体１１は、ＣＰＵ１４、記憶部１５、スキャナインタフェース１６、印刷インタフェース１７、ディスプレイインタフェース１８及び操作インタフェース１９を含む。
【００３４】
ＣＰＵ１４は、種々の演算処理を行う。
【００３５】
記憶部１５は、コンピュータを画像処理装置１０として機能させる画像処理プログラムを記憶している。また、記憶部１５は、本コンピュータで画像処理を行う対象の画像データ、画像処理後の画像データ等を記憶する。記憶部１５は、ハードディスクや半導体メモリなどで構成できる。
【００３６】
スキャナインタフェース１６は、立体スキャナ２０との間で種々のデータの受け渡しを行う。ＣＰＵ１４は、スキャナインタフェース１６を介して、例えば、立体スキャナ２０にスキャニングの指示信号を出力するとともに、立体スキャナ２０でスキャニングにより取得された画像データを入力する。
【００３７】
印刷インタフェース１７は、コンピュータ本体１１で画像処理を行った画像データを印刷装置３０に送信する。ＣＰＵ１４は、印刷インタフェース１７を介して、例えば、印刷装置３０に、印刷の指示信号及び印刷対象の画像データを出力する。なお、印刷対象の画像データは、印刷装置３０に記録媒体を用いて渡してもよく、この場合、印刷インタフェース１７は無くてもよい。
【００３８】
ディスプレイインタフェース１８は、コンピュータ本体１１で画像処理を行った画像等の表示データをディスプレイ１２に送信する。
【００３９】
操作インタフェース１９は、操作部１３から出力される信号をコンピュータ本体１１に送信する。例えば、操作部１３は、操作インタフェース１９を介して、ＣＰＵ１４に、画像処理プログラムの実行を制御するための信号を出力可能である。
【００４０】
３．印刷物製造装置の動作
印刷物製造装置１の動作について図２を参照して説明する。図２は、印刷物製造装置１により行われる印刷物製造処理のフローチャートである。
【００４１】
まず、立体スキャナ２０において、立体被写体のスキャニングを行う（Ｓ１）。具体的には、画像処理装置１０のＣＰＵ１４は、スキャナインタフェース１６を介して、立体スキャナ２０にスキャニングの指示信号を出力する。スキャニングの指示信号とは、例えばスキャニングの開始信号、スキャニング条件を示す信号等である。スキャニング条件を示す信号とは、例えば、スキャニングの光学解像度や露出量に関する信号である。立体スキャナ２０は、立体被写体のスキャニングを行い、スキャニングにより取得した画像データを出力する。スキャニングの光学解像度は、例えば６００ｄｐｉに設定する。立体スキャナ２０のスキャナヘッドは、スキャン対象物の有する凹凸により所望の陰影が生じる位置に設定しておく。
【００４２】
スキャニングの際の露出量の設定について図３を参照して説明する。図３は、本実施形態の画像処理処理装置による画像処理の一例を説明するための図である。具体的には、一例として、画像のある一水平ラインを構成する複数の画素と輝度の関係を示している。本例は、一水平ラインの輝度が水平方向において右側ほど高くなる場合を示している。
【００４３】
ラインＡは、立体被写体の画像を適正露出量で取得したときの輝度の一例を示す。適正露出量とは、取得した画像が人間から見て自然な明るさで表現されることとなる露出量である。例えば、取得する画像の明るさの平均が１８％グレーの明るさとなる露出量である。１８％グレーとは、色空間において、明るさが暗（０）から明（１００）まで変化するときに白から見ても黒から見ても感覚的に同じに見える明るさを持ち、その反射率が１８％のグレーである。
【００４４】
ここで、立体スキャナは、取得可能な輝度のダイナミックレンジが決まっている。例えば、立体スキャナは、被写体の輝度を、ラインＣＣＤから入力された信号の大きさに応じて０〜２５５の２５６段階で表現する。しかし、ラインＣＣＤから入力された信号の大きさが２５５に対する大きさを超える場合、最大値の２５５として記録される（輝度の飽和）。したがって、例えば、図３のラインＡのように、水平方向右側の高輝度部分の輝度特性が、輝度の飽和により、点線で示すような本来のものから、実線で示すような水平な平坦なものとなってしまう。そして、この高輝度部分に、被写体の陰影（輝度の凹み）が存在していた場合、スキャナで取得された画像の当該部分から陰影が消失してしまう。
【００４５】
この問題に対応するため、本実施形態では、スキャニングの際の露出量を、図３に示すように、適正露出量よりも第１所定量小さい量とする。第１所定量は、図３に示すように、スキャニングの際に、被写体における彩度や明度の高い部分の陰影に色飽和等を生じさせないようにするための、適正露出量に対する露出量の低下量である。このように露出量を絞ってスキャンニングすることで、適正露出量で画像を取得した際に消えてしまう、被写体の凹凸の表面にある微細な「陰影」を良好に取得することが可能となる。
【００４６】
画像処理装置１０のＣＰＵ１４は、立体スキャナ２０においてスキャニングにより取得された画像データを、スキャナインタフェース１６を介して入力する。
【００４７】
図４は、立体スキャナ２０で取得した画像を示す。具体的に、図４（ａ）は、ステップＳ１のように、露出量を、適正露出量よりも第１所定量小さい量でスキャニングした画像を示す。図４（ｂ）は、適正露出量でスキャニングした画像を示す。図４（ｃ）は、立体スキャナ２０でなく、一般的な二次元スキャナでスキャニングした画像を示す。図４（ａ）の画像は、図４（ｂ）や図４（ｃ）の画像と比較して全体的に暗い画像となっている。一般的な二次元スキャナでスキャニングした図４（ｃ）の画像は、立体感がない。適正露出量でスキャニングした図４（ｂ）の画像は、被写体における彩度や明度の高い部分（画像データにおける高輝度部分）の陰影が失われている。
【００４８】
次に、画像処理装置１０のＣＰＵ１４は、立体スキャナ２０から取得した画像データに対して、画像のより自然な立体感の表現を可能とするための画像処理を行う（Ｓ２）。この画像処理の具体的な内容については後述する。
【００４９】
次に、画像処理装置１０のＣＰＵ１４は、印刷装置３０に印刷の指示を行う（Ｓ３）。具体的には、画像処理装置１０のＣＰＵ１４は、印刷インタフェース１７を介して、印刷装置３０に印刷の指示信号、及びステップＳ２で画像処理を施した画像の印刷用データを出力する。印刷装置３０は、画像処理装置１０から受信した指示信号、及び印刷用データに基づいて、印刷を実行する。画像処理装置１０は、印刷の指示信号として、印刷の開始信号、印刷条件を示す信号等を出力する。なお、前述の通り、画像処理装置１０から印刷装置３０への画像データの受け渡しは記録媒体を用いて行ってもよい。印刷線数は、例えば２６０線以上の高精細印刷とする。墨インキ（黒インキ）として例えばマット墨インキを用いる。
【００５０】
３．画像処理装置の動作
画像処理装置１０の動作について図５を参照して説明する。図５は、画像のより自然な立体感の表現を可能とするために画像処理装置１０により行われる画像処理のフローチャートである。
【００５１】
まず、画像処理装置１０のＣＰＵ１４は、ステップＳ１で取得された画像データに対して、画像の明るさを上昇させる処理を行う（Ｓ１１）。例えば、画像を構成するＲ、Ｇ、Ｂの輝度データが示す輝度の大きさを、一定割合ずつ、同量ずつ、あるいはほぼ同量ずつ大きくする。つまり、画像の色バランスが変わらないようにあるいは画像の色バランスがあまり変わらないように画像の明るさを上昇させる。例えば、画像処理装置１０は、図３のラインＣで示すように、画像の明るさを、第２所定量上昇させる。第２所定量は、画像の明るさを上昇させた場合でも、高輝度側の色飽和を生じさせない上昇量である。つまり、第２所定量は、画像の明るさを上昇させた場合でも、画像における陰影を消失させない上昇量である。なお、第２所定量は、画像の明るさを上昇させた際、画像における高輝度部分の陰影のうち特に高輝度側の陰影であって色飽和を起こした場合でも画像の立体感にあまり影響を与えない陰影が消失する上昇量であってもよい。換言すれば、第２所定量は、画像の明るさを上昇させた際、画像の立体感にあまり影響を与えない陰影のみを消失させる上昇量であってもよい。
【００５２】
なお、画像処理プログラムは、画像処理装置１０に対して、既成のアプリケーションにより実現される画像処理機能と同等の機能を実現させる。既成のアプリケーションとして、例えば、Ａｄｏｂｅ  Ｓｙｓｔｅｍ社のＡｄｏｂｅ  Ｐｈｏｔｏｓｈｏｐ（登録商標）が考えられる。本ステップＳ１１において、画像処理装置１０は、Ａｄｏｂｅ  Ｐｈｏｔｏｓｈｏｐ（登録商標）の露光量に関するパラメータにおいデフォルトの０に代えて０．５０〜０．９９の間の所定の値に設定させたときに実現される機能と同等の機能を実現させるための処理を行う。なお、本実施形態の画像処理プログラムと既成のアプリケーションとが連携することにより上記機能を実現してもよい。
【００５３】
図６は、ステップＳ１１による処理の前後の画像の一例を示す。具体的には、図６（ａ）は、画像の明るさを上昇させる処理を行う前の画像、図６（ｂ）は、画像の明るさを上昇させる処理を行った後の画像を示す。例えば、ある画素において、処理前の明るさを示す値、例えばＲ、Ｇ、Ｂの輝度の値が、Ｒ：５６、Ｇ：５５、Ｂ：４９である場合、Ｒ、Ｇ、Ｂの輝度の値をほぼ同量ずつＲ：７５、Ｇ：７４、Ｂ：６６まで上昇させる。これにより、明るさを上昇させる処理を行う前の暗い印象を受ける図６（ａ）の画像が、処理後には、陰影を保持しながら被写体に近い明るさを有する図６（ｂ）のような画像となる。
【００５４】
次に、画像処理装置１０のＣＰＵ１４は、ステップＳ１１で明るさを上昇させた画像について、さらに、当該画像の明るさの中央値側の明るさが適正露出時における明るさとほぼ等しくなるように、中央値側ほど大きな上昇量で画像の明るさを上昇させる（Ｓ１２）。図７は、この処理における明るさ上昇量の特性の一例を示す。本例の特性は、明るさの最小値及び最大値において上昇量が０、最小値と最大値との中央で上昇量が最大となる曲線状の特性となっている。このような処理により、図３のラインＤで示すように、画像の多くの部分を占める中央値側の明るさが、ほぼ適正露出時における明るさとなり、全体として自然な印象を与える画像となる。このとき、高輝度側の明るさはあまり変化しないので、高輝度側の陰影が色飽和により消失するのを極力防止することができる。なお、最小値と最大値との中央で上昇量が最大となる特性に限定されず、例えば中央近傍で上昇量が最大となる特性であってもよい。本ステップＳ１２において、画像処理装置１０は、Ａｄｏｂｅ  Ｐｈｏｔｏｓｈｏｐ（登録商標）のトーンカーブのパラメータにおいてデフォルトの１２８に代えて１２９〜１５０の間の所定の値に設定したときに実現される機能と同等の機能を実現させるための処理を行う。なお、設定は、０〜２５５の２５６段階で行うことが可能である。
【００５５】
次に、画像処理装置１０のＣＰＵ１４は、ステップＳ１２で明るさを上昇させた画像について、画像の色を調整する処理を行う（Ｓ１３）。具体的には、ステップＳ１２のように画像の明るさを上昇させると、所定の標準光により被写体に生じる色に対して色ずれが生じる場合がある。そこで、画像中の被写体の色が、所定の標準光により被写体に生じる色に近づくように補正する処理を行う。所定の標準光とは、色温度が所定の色温度の光である。所定の色温度は、例えば５０００Ｋであるが、これに限定されるものではない。本ステップＳ１３において、画像処理装置１０は、Ａｄｏｂｅ  Ｐｈｏｔｏｓｈｏｐ（登録商標）のレベル補正のパラメータにおいてデフォルトの１に代えて、１．０１〜１．５の間の所定の値を設定したときに実現される機能と同等の機能を実現させるための処理を行う。なお、色ずれが生じていない場合は、本ステップの処理を行わなくてもよい。
【００５６】
図８は、ステップＳ１２及びＳ１３による処理の前後の画像の一例を示す。具体的には、図８（ａ）は、ステップＳ１２及びＳ１３による処理を行う前の画像、図８（ｂ）は、当該処理を行った後の画像を示す。
【００５７】
次に、画像処理装置１０のＣＰＵ１４は、画像中の被写体の輪郭を強調させる処理を行う（Ｓ１４）。具体的には、図９に示すように、画像における明るさ（輝度）の差が所定値以上の部分（輪郭（境界））を検出して、当該輪郭部分（境界）の両側所定範囲内の明るさ（輝度）の差を拡大する処理を行う。本ステップＳ１４において、画像処理装置１０は、Ａｄｏｂｅ  Ｐｈｏｔｏｓｈｏｐ（登録商標）のアンシャープマスクのパラメータにおいてデフォルトの０％に代えて１０％〜５０％の間の所定の値に設定し、かつアンシャープマスクの半径のパラメータにおいてデフォルトの０に代えて１．０１〜１．５の間の所定の値に設定したときに実現される機能と同等の機能を実現させるための処理を行う。
【００５８】
図１０は、ステップＳ１４による処理の前後の画像の一例を示す。具体的には、図１０（ａ）は、画像中の被写体の輪郭を強調させる処理を行う前の画像、図１０（ｂ）は、画像中の被写体の輪郭を強調させる処理を行った後の画像を示す。図１０（ｂ）からわかるように、画像中の被写体の輪郭を強調させる処理を行うことにより、画像の立体感がより強調される。
【００５９】
次に、画像処理装置１０のＣＰＵ１４は、ステップＳ１４で画像の輪郭を強調させる処理を行った画像を、記憶部１５に記憶させる（Ｓ１５）。
【００６０】
なお、図１のステップＳ３で印刷する際、ＲＧＢ形式の画像データを印刷に適したＣＭＹＫ形式の画像データに変換する。このように変換すると、画像の色等に濁りが生じたり、暗くなる場合がある。これに対処するため、ステップＳ１５の完了後、以下のステップを実行してもよい。
【００６１】
つまり、Ｃ（シアン）及びＫ（黒）の明度を低下させる補正を行っても良い。具体的には、Ｃ（シアン）の明度を１〜５％の間の所定の値だけ低下させ、Ｋ（黒）の明度を３〜５％の間の所定の値だけ低下させる。そして、このデータを印刷用データとして記憶させ、印刷時に画像処理装置１０から印刷装置３０に出力する。本ステップにおいて、画像処理装置１０は、Ａｄｏｂｅ  Ｐｈｏｔｏｓｈｏｐ（登録商標）のトーンカーブのＣ（シアン）のパラメータにおいてデフォルトの０％に代えて−１％〜−５％に設定し、トーンカーブのＫ（黒）のパラメータにおいてデフォルトの０％に代えて−３％〜−５％に設定したときに実現される機能と同等の機能を実現させるための処理を行う。
【００６２】
４．まとめ
４−１．構成
本実施形態の画像処理装置１０は、
表面の凹凸による陰影を生じた立体被写体の画像を取得可能な立体スキャナ２０により立体被写体の画像を取得し、取得した画像に対して画像処理を行う。この画像処理装置１０は、
立体スキャナ２０に対して、所定の露出量で取得したときよりも第１所定量小さい明るさの画像が取得される露出量で立体被写体の画像を取得するよう指示する指示手段（ＣＰＵ１４）と、
取得した画像の明るさを、第１所定量よりも小さい第２所定量上昇させる第１明るさ上昇手段（ＣＰＵ１４）と、
第１明るさ上昇手段で明るさを上昇させた画像に対して、当該画像の明るさの中央値側の明るさが所定の露出時における明るさとほぼ等しくなるように、中央値側ほど大きな上昇量で画像の明るさを上昇させる第２明るさ上昇手段（ＣＰＵ１４）と、を含む、
画像処理装置。
【００６３】
好ましくは、画像処理手段（ＣＰＵ１４）は、
第１及び第２明るさ上昇手段で明るさを上昇させた画像に対して、画像中の被写体の色が、所定の標準光により被写体に生じる色に近づくように補正する色補正手段（ＣＰＵ１４）をさらに含む。
【００６４】
好ましくは、画像処理手段（ＣＰＵ１４）は、
画像に含まれる被写体の輪郭を強調する輪郭強調手段（ＣＰＵ１４）をさらに含む。
【００６５】
好ましくは、画像処理手段（ＣＰＵ１４）は、
ＲＧＢ形式の画像データをＣＭＹＫ形式の画像データに変換する画像形式変換手段と、
画像形式変換手段で変換されたＣ色及びＫ色の明度を第３所定量及び第４所定量低下させる明度低下手段と、をさらに含む。
【００６６】
本実施形態の印刷物製造装置１は、画像処理装置１０と、
画像処理装置１０で画像処理された画像を印刷する印刷装置３０とを含む。
【００６７】
本実施形態の画像処理方法は、表面の凹凸による陰影を生じた立体被写体の画像を取得可能な立体スキャナ２０により立体被写体の画像を取得し、取得した画像に対して演算手段（ＣＰＵ１４）により画像処理を行う。この画像処理方法は、
演算手段（ＣＰＵ１４）が、
立体スキャナ２０に対して、所定の露出量で取得したときよりも第１所定量小さい明るさの画像が取得される露出量で前記立体被写体の画像を取得するよう指示する指示ステップ（Ｓ１）と、
取得した画像に対して画像処理を行う画像処理ステップ（Ｓ２）と、を含み、
画像処理ステップ（Ｓ２）は、
取得した画像の明るさを、第１所定量よりも小さい第２所定量上昇させる第１明るさ上昇ステップ（Ｓ１１）と、
前記第１明るさ上昇ステップで明るさを上昇させた画像に対して、当該画像の明るさの中央値側の明るさが前記所定の露出時における明るさとほぼ等しくなるように、前記中央値側ほど大きな上昇量で画像の明るさを上昇させる第２明るさ上昇ステップ（Ｓ１２）と、を含む。
【００６８】
好ましくは、画像処理ステップ（Ｓ２）は、
第２明るさ上昇ステップで明るさを上昇させた画像に対して、画像中の被写体の色が、所定の標準光により被写体に生じる色に近づくように補正する色補正ステップ（Ｓ１３）をさらに含む。
【００６９】
好ましくは、画像処理ステップ（Ｓ２）は、
画像に含まれる被写体の輪郭を強調する輪郭強調ステップ（Ｓ１４）をさらに含む。
【００７０】
好ましくは、画像処理ステップ（Ｓ２）は、
ＲＧＢ形式の画像データをＣＭＹＫ形式の画像データに変換する画像形式変換ステップと、
画像形式変換手段で変換されたＣ色及びＫ色の明度を第３所定量及び第４所定量低下させる明度低下ステップと、をさらに含む。
【００７１】
本実施形態の印刷物製造方法は、前記画像処理方法に含まれるステップ（Ｓ２）と、
当該画像処理方法によって得られた画像を印刷する印刷ステップ（Ｓ３）とを含む。
【００７２】
４−２．効果
上記構成により、画像の立体感に影響を与えやすい陰影の色飽和による消失を防止しつつ、全体として自然な印象の画像を得ることができる。つまり、良好な立体感を与えつつ全体として自然な印象の画像を得ることができる。したがって、印刷物等において凹凸のある立体被写体をよりリアルに再現できる。
【００７３】
なお、本実施形態では、ステップＳ１１による処理とステップＳ１２による処理とを別々に行ったが、両ステップにおける明るさの上昇量の特性を加算した特性で、一度に行ってもよい。
【００７４】
（実施形態２）
実施形態２では、スキャニングにより複数枚の画像を取得し、これらの取得した複数枚の画像に対してそれぞれ上記の画像処理を施し、これらの画像を組み合わせて一枚の画像を生成する例について説明する。なお、複数枚の画像を組み合わせて生成した画像に対して、さらに立体感を付与するために処理を行ってもよい。この処理の一例を図１１を参照して説明する。
【００７５】
図１１は、実施形態２の印刷物の製造方法の説明図である。本実施形態では、２つの画像Ａ、Ｂを用いた場合について説明する。これらの画像Ａ、Ｂには、実施形態１で説明した画像処理が施されている。画像Ａは、表面に凹凸を有する和紙を撮像した画像に上記画像処理が施された画像である。画像Ｂは、花（被写体）を撮像した画像に上記画像処理が施された画像である。
【００７６】
まず、画像Ｂから被写体部分Ｂ′をマスキング（切り抜き）する。
【００７７】
次に、画像Ａにおける所定の位置に被写体部分Ｂ′を配置し、さらに、被写体部分Ｂ′の周囲の所定部分に陰影Ｃを付与し、画像Ｄを生成する。そして、画像Ｄを記憶部１５に記憶させる。
【００７８】
２つの被写体を重ねて同時にスキャニングを行うと、いずれか一方の被写体のピント位置がずれ、当該被写体の質感（例えば、被写体が有する凹凸に伴う陰影）を十分に引き出すことができないという問題がある。しかし本実施形態のように、個別にスキャニングを行うことにより、両被写体の質感をそれぞれ十分に引き出すことができる。その結果組み合わせて生成した画像も、被写体の質感が十分に引き出された画像となる。
【００７９】
（実施形態３）
本実施形態では、実施形態１、２で説明した画像処理方法によって得られた画像が透明フィルムの一面に印刷された印刷物及びその製造装置及び製造方法について説明する。
【００８０】
１．印刷物の構成
本実施形態の印刷物は、図１２に示すように、実施形態１の画像処理方法によって処理された画像（例えば絵画）が透明フィルムの一方の面（裏面）に印刷され、透明フィルムの他方の面（表面）の周縁部分に額縁状の模様が印刷されている。つまり、この印刷物は、透明フィルムと、透明フィルムの一方の面に印刷された、実施形態１または２の画像処理方法によって得られた画像層と、透明フィルムの他方の面の周縁部分に印刷された額縁状の模様層とを備える。なお、額縁状の模様は、実施形態１または２の画像処理方法によって得られたものでもよい。
【００８１】
２．製造方法
印刷方式は、ＵＶオフセット方式を用いる。
【００８２】
透明フィルムは、０．３ｍｍ以上の厚さを有する印刷用透明フィルム（ＰＥＴ）を用いる。厚みを有する透明フィルムを用いることにより、奥行きを表現することができる。また、透明フィルムの少なくとも表面（印刷が行われる面とは反対の面）は艶を有しているものを用いる。
【００８３】
印刷線数は２００線以上の高精細印刷とする。これにより、網点の重なりが少なくなり、印刷画像が鮮やかになる。
【００８４】
墨インキ（黒インキ）としてマット墨インキを用いる。これにより、影部の光沢を抑えることができる。
【００８５】
広色域インキを用いる。これにより、色再現領域を広げることができる。
【００８６】
本実施形態の印刷物の製造方法の流れを、図１３のフローチャートに示す。図１３のフローチャートは、本実施形態における、図２のフローチャートのステップＳ３の処理を具体化したものである。なお、本実施形態では、画像処理装置１０の記憶部１５には、さらに、前記額縁状の模様に関する画像データが記憶されており、この画像データを用いて額縁状の模様を印刷する。
【００８７】
まず、透明フィルムの裏面に、図２のフローチャートのステップＳ２で画像処理を施した画像を反転させて印刷する（Ｓ２１）。
【００８８】
次に、透明フィルムの裏面全体に印刷した画像全面に重ねてホワイトインクを印刷する（Ｓ２２）。これにより、透明フィルムの裏面に印刷した画像を透明フィルムの表面側から見たときに、当該画像が透けて見えるのを防止することができる。
【００８９】
次に、透明フィルムの表面における額縁状の模様の印刷予定領域に額縁形状にホワイトインクを印刷する（Ｓ２３）。
【００９０】
次に、透明フィルムの表面における額縁状の模様の印刷予定領域に、ステップＳ２３で印刷したホワイトインクに重ねて額縁状の模様を印刷する（Ｓ２４）。これにより、透明フィルムの表面に印刷した額縁状の模様を透明フィルムの表面側から見たときに、当該額縁状の模様が透けて見えるのを防止することができる。
【００９１】
なお、ステップＳ２４で額縁状の模様を印刷後、透明フィルムの表面において、当該額縁状の模様に重ねてニスを塗布してもよい。これにより、額縁状の模様に艶を付与することができる。
【００９２】
２．まとめ
本実施形態の印刷物製造方法は、実施形態１に記載の画像処理方法によって得られた画像を透明フィルムの一方の面に印刷するステップ（Ｓ２１）と、
透明フィルムの他方の面の周縁部分に額縁状の模様を印刷するステップ（Ｓ２４）とを含む。
【００９３】
本実施形態によれば、透明フィルムの裏面に印刷した画像を透明フィルムの表面側から見たときに、透明フィルムの表面が反射することにより、あたかも、ガラス板を有する額縁の中に、絵画等の画像が入れられているように見える。特に、透明フィルムの裏面に印刷した画像は、実施形態１の画像処理方法によって生成された、見る者に立体感を与える画像であるので、実物の絵画が額縁の中に入れられているように見える。
【００９４】
なお、実施形態３の技術思想は、透明フィルムの裏面に印刷する画像が、実施形態１に記載の画像処理方法によって得られた画像でない場合でも適用可能である。
【００９５】
（その他の実施形態）
実施形態３では、透明フィルムの裏面に印刷した画像にホワイトインクを重ねて印刷した。しかし、ホワイトインクに代えて、反射性のある薄い金属被膜を設けてもよい。図１４（ａ）は、透明フィルムの裏面に画像のみを印刷した状態で裏面側から見た図、図１４（ｂ）は、透明フィルムの裏面に金属被膜を設けた状態で裏面側から見た図である。金属被膜は、印刷、箔押し、蒸着、シール貼り、ラミネート等により形成することができる。図１４（ｂ）に示すものでは、箔押しにより金属被膜を設けている。
【００９６】
金属被膜を形成することで、透明フィルムの表面から侵入した光が、金属被膜で反射する。そのため、透明フィルムの裏面に印刷された画像そのものが輝いているように見える。図１５（ａ）は、透明フィルムの裏面に画像のみを印刷した状態で表面側から見た図、図１５（ｂ）は、透明フィルムの裏面の画像に重ねて金属被膜を設けた状態で表面側から見た図である。図１５（ａ）、図１５（ｂ）を比較することにより、透明フィルムの裏面に金属被膜を設けた場合、画像そのものが輝いているように見えることがわかる。なお、金属被膜を設けた場合、当該印刷物を見る角度が変われば、光源と鑑賞者の位置関係も変化する。そのため、印刷物からの反射光の光量が変化し、印刷物の明るさが変化する。ただし、自動車の窓ガラス用のミラーフィルムのように反射率の高いものは、反射光が強くなり、画像中の陰影が見え難くなるので、好ましくない。なお、透明フィルムの裏面に印刷した画像に重ねて金属被膜を設けるという技術思想は、透明フィルムの表面に額縁状の模様が設けられていないものに対しても適用可能である。
【００９７】
また、ホワイトインクに代えて、反射性のある台紙を設けてもよい。この場合、絵柄を印刷しただけの（絵柄が透ける）透明フィルムを反射性のある台紙に貼り付ければよい。これにより、透明フィルムの表面から侵入した光が、反射性のある台紙で反射し、印刷物そのものが輝いているように見える。
【００９８】
また、ホワイトインクに代えて、所定の色のインキを印刷してもよい。例えば、青色のインキを印刷すれば、透明フィルムの表側に青色が透けて表側の画像を青っぽく見せることができる。また、赤色のインキを印刷すれば、透明フィルムの表側に赤色が透けて表側の画像を赤っぽく見せることができる。つまり、印刷した画像の表情を変化させることができる。
【００９９】
また、ホワイトインクの印刷後、さらに、所定の色のインキを重ねて印刷してもよい。所定の色は、例えば、画像に含まれる引き立たせたい被写体の色と類似の色を用いる。これにより、印刷した画像に含まれる引き立たせたい被写体を、良好に引き立たせることができる。
【符号の説明】
【０１００】
１    印刷物製造装置
１０  画像処理装置
１１  コンピュータ本体
１２  ディスプレイ
１３  操作部
１４  ＣＰＵ
１５  記憶部
１６  スキャナインタフェース
１７  印刷インタフェース
１８  ディスプレイインタフェース
１９  操作インタフェース
２０  立体スキャナ
３０  印刷装置
【図１】
2014011505.tif 000003
【図２】
2014011505.tif 000004
【図３】
2014011505.tif 000005
【図５】
2014011505.tif 000006
【図７】
2014011505.tif 000007
【図１３】
2014011505.tif 000008
【図４】
2014011505.tif 000009
【図６】
2014011505.tif 000010
【図８】
2014011505.tif 000011
【図９】
2014011505.tif 000012
【図１０】
2014011505.tif 000013
【図１１】
2014011505.tif 000014
【図１２】
2014011505.tif 000015
【図１４】
2014011505.tif 000016
【図１５】
2014011505.tif 000017